(57)【要約】【課題】複数の排水口を備えた水廻り器具からの排水に用いられるトラップシステムであり、封水切れがなく、排水が他方の排水口から溢れることや、臭気の逆流現象がないトラップシステムを提供する。【解決手段】複数の排水口を備えた水廻り器具の各排水口毎に非封水方式のトラップを接続し、その後、当該複数のトラップからの排水を一本の排水管に合流させたことを特徴とする排水トラップシステム。好ましくは、非封水方式のトラップがゴム様膜体を用いたメンブレン方式のトラップである。【選択図】図１
2008169575.tif 000002
【特許請求の範囲】
【請求項１】
複数の排水口を備えた水廻り器具の各排水口毎に非封水方式のトラップを接続し、その後、当該複数のトラップからの排水を一本の排水管に合流させたことを特徴とする排水トラップシステム。
【請求項２】
非封水方式のトラップがメンブレン方式のトラップである請求項１記載の排水トラップシステム。
【請求項３】
メンブレン方式のトラップが、両面ゴム様膜体である請求項１又は２記載の排水トラップシステム。
【請求項４】
メンブレン方式のトラップが、片面ゴム様膜体である請求項１又は２記載の排水トラップシステム。
【請求項５】
ゴム様膜体が排水の上流側が開口し、下流側が接触するように癖付けされた請求項３又は４記載の排水トラップシステム。
【請求項６】
水廻り器具がユニットバスである請求項１乃至５いずれか１記載の排水トラップシステム。
【請求項７】
水廻り器具が複数シンク型キッチンである請求項１乃至５いずれか１記載の排水トラップシステム。
【請求項８】
請求項１乃至７に記載の排水トラップシステムをサイフォン排水システムの水廻り器具に適用したサイフォン排水システム。
【発明の詳細な説明】
【技術分野】
【０００１】
本発明は、複数の排水口をもつ水廻り器具からの排水に用いられる新しい排水トラップシステムに関するものである。
【背景技術】
【０００２】
本発明は上記した水廻り器具からの排水に使用される排水トラップシステムに関するものであるが、以下、問題のない限りユニットバス用のトラップを代表例として説明する。さて、現在のユニットバス用のトラップは、水封式のトラップが洗い場・浴槽兼用で設置され、そこから５０Ａの雑排水管がユニットバス外寸まで接続されている。これは、（１）２つの器具からの排水があるにもかかわらず、排水の出口が一つしかないため設置時の作業性がよく、（２）器具からの溜め流し排水を行っても排水トラップの封水切れがないという二つの優れた性能を持つシステムであった。
【０００３】
しかしながら、上記のユニットバス用のトラップシステムは、優れた特徴があるものの、通常のユニットバスにあっては、洗い場と浴槽に高低差があり、これを一つのトラップで対応する際、縦方向の納まりに問題が生じている。又、現在のトラップでは封水深さを５０ｍｍ以上取るのが一般的であるが、このためには、トラップが設置される防水パンの下に相当のスペ−スが必要となり、近年のバリア−フリ−タイプのユニットバスにおいては、水廻りのスラブ段差を大きくとる必要がありネックとなっていた。
【０００４】
水封トラップに対して、メンブレン方式のトラップが提案されている。これは、水で臭気を防止するのではなく、弁によって臭気を防止するタイプのトラップであり、これのメリットは、自己サイフォンや誘導サイフォンによって水封式のトラップにおいて破封するような状況においても、臭気を防ぐことができるものである。
【０００５】
しかし、現状のユニットバスのトラップに置き換えてこのメンブレン方式のトラップを用いた場合、浴槽・洗い場の排水が合流された後に設置されるため、それ自体が抵抗になるための排水直後の洗い場への溢れ出しが心配される。更に、サイフォン排水で用いた場合、サイフォン起動までのタイムラグがあるため、溢れ出しが特に顕著に現れる危険性は大きい。
【０００６】
そこで、洗い場と浴槽の排水を分離して、夫々にメンブレン方式のトラップを設置して排水する方法が考えられる。かかる方式は、排水性に関しては在来工法においてもサイフォン排水においても問題はなくなるが、従来の方式ではユニットバスの排水の出口が１箇所であるのに対し、排水の出口が２箇所となるため収まりが悪く、かつ、配管作業が面倒となり、作業性が著しく悪くなってしまうということとなる。又、在来方式であれば、夫々の配管が５０ｍｍ程度になるため、オーバースペックになってしまい、コストアップを伴なうこととなる。
【０００７】
ちなみに、分離配管を行って二つの水封タイプでのトラップを用いた場合には、在来工法であれば自己サイフォンにおける封水の維持が難しく、特に、サイフォン排水においては封水を維持するのが不可能であった。
【発明の開示】
【発明が解決しようとする課題】
【０００８】
本発明の目的は、ユニットバスにて代表される複数の排水口を備えた水廻り器具からの排水に用いられる新たなトラップシステムを提供するものであり、いかなる状況にあってもいわゆる封水切れがなく、排水が他方の排水口から溢れることや、臭気の逆流現象がないトラップシステムを提供することを目的とするものである。
【課題を解決するための手段】
【０００９】
本発明は、以上のような従来技術に鑑みてなされたものであり、その要旨は、複数の排水口を備えた水廻り器具の各排水口毎に非封水方式のトラップを接続し、その後、当該複数のトラップからの排水を一本の排水管に合流させたことを特徴とする排水トラップシステム（請求項１）にかかるものである。
【００１０】
上記の非封水方式のトラップの好適例としては、メンブレン方式のトラップ（請求項２）を挙げることができ、かかるトラップは、両面或いは片面がゴム様膜体（請求項３及び４）で構成されたものである。即ち、下流側におけるゴム様膜体は、ゴム様膜体同志が接触する方式であったり、所定のプレ−トにゴム様膜体が接触する方式がある。
【００１１】
この好適例におけるゴム様膜体は、排水の上流側が開口し、下流側が接触する構造のものであり、ゴム様材料の加硫（架橋）成形時に癖付けされた構造（請求項５）のものがよい。
【発明の効果】
【００１２】
本発明のトラップシステム（請求項１〜５）によれば、水封トラップではなくむしろ機械的な封止システムであるため、封水切れによる臭気の逆流は皆無であり、しかも、比較的安価な構成で、しかも装着作業性も従来のものと変わらないというメリットがある。
【発明を実施するための最良の形態】
【００１３】
本発明は、ユニットバスや複数シンク型キッチン等にて代表される複数の排水口を持つ水廻り器具に適用されるものであり、従来の排水システムに適用できることは勿論であるが、サイフォン排水システムの採用に際して特に有意義なトラップとなる。
【００１４】
ここで、ユニットバスを例に取って説明すれば、浴槽・洗い場側の夫々の排水口に、本発明のトラップを設置し、その先で合流させることによって、ユニットバスの外寸の出口部分に関しては１本の排水管としたものである。これにより、例えば、浴槽内の水が一気に流された際にも、いわゆる封水切れの現象がなく、洗い場側トラップより排水が溢れることもなく、臭気が逆流してくることもなくなったものである。
【００１５】
ユニットバスに適用される場合に、更に好適例をもって述べれば、ユニットバスの洗い場及び浴槽の排水口の径路中に、当該経路に接続されるパイプと内部に上流側が開口し下流側が接触するように癖付けされたゴム様膜体を備えたメンブレン方式のトラップを採用し、その後、当該複数のトラップからの排水をユニットバス外寸に到達するまでに一本の排水管に合流させたことを特徴とするユニットバス用排水トラップシステムである。
【００１６】
そして、近年開発されているサイフォン排水においては、排水開始から実際にサイフォンが発生するまでにタイムラグがあるため、ユニットバスの洗い場側から浴槽の水が溢れてきたりすることがあり、それの対応として一時貯留槽の設置等が行われるようになっていた。更に、サイフォン開始までを持ちこたえたとしても、サイフォン排水管の設計（管の径・管の本数・垂下の長さ等）においては、浴槽から最大に発生するであろう排水量よりも上回った量の処理可能な流量に設計しなければならなかった。しかるに、本発明の排水トラップシステムをこれに採用することにより洗い場側からの水の溢れ現象や、臭気が上がってくるという欠点が解消できたものである。
【００１７】
ここで、本発明の排水システムの好適例をもってユニットバスへの適用例を述べれば、ユニットバスの夫々の排水口或いはこれらに接続された配管に接続されるパイプと、この内部に上流側が開口し、下流側が接触するように癖付けされたゴム様膜体を備えた構造であって、例えば、浴槽から排水があった場合には、ゴム様膜体の上流側に容易に入り込み、このゴム様膜体を広げつつ排水が下流側に進み、排水が行われることとなる。そして、下流側ではゴム様膜体が接触するように癖付けされていることから、下流側からの圧力例えば空気圧によってかかるゴム様膜体が広げられることがないため、臭気の逆流は不可能となる。
【００１８】
又、ユニットバスの取り付けに当たっては、ユニットバスの外寸の範囲がその基準となり、その外寸を越える領域で行われる配管作業は配管工事となる。このため、配管工事作業の手数をできるだけ省き、しかも従来の配管の方法と異ならない作業とするのが肝心であり、本発明のトラップ以降の合流をできるだけユニットバスの外寸を越えない範囲で行われるのが好ましい。
【００１９】
非封水方式のトラップとしては、コ−ンプラグ、フラップバルブ、スプリングフラップバルブ、チェックバルブ、ゴム様膜体を用いたメンブレンバルブ等が上げられるが、排水システムにはゴム様膜体を用いたメンブレンバルブが好んで用いられる。このメンブレン方式にあっても、好ましくは排水の下流側においてゴム様膜体同士を接触させるのがよく、場合によっては金属やプラスチックのプレ−ト面に接触するものであってもよい。更にいえば、トラップとして水を利用していないために、比較的背丈の低いトラップの設計が可能である。このことは、これを排水システム中に組み込むことにより水廻り器具の排水口とスラブ間の間隔を少なくすることが可能となるものであり、バリアフリ−構造にも好適な排水システムを提供できることともなる。
【００２０】
ゴム様膜体は柔軟性のあるゴム或いは樹脂にて構成されるものであり、これは加硫（架橋）中に、任意の形状に癖付けすることが可能であり、これによって接触度合いを緊密にすることができ、排水や臭気の逆流を完全に防止することができるものである。
【実施例】
【００２１】
以下、本発明を実施例をもって更に説明する。図１は本発明に用いられるメンブレン方式のトラップ１を示すものであり、図２はＡ−Ａ線での端面図、図３はＢ−Ｂ線での端面図、図４はＣ−Ｃ線での端面図を示すものである。かかるトラップ１の最大径は５０ｍｍもあれば十分である。
【００２２】
かかるトラップ１は、パイプ２とその中に内蔵されたゴム様膜体３を備え、当該膜体３は排水の上流側で開口３ａしており、下流側で接触・閉鎖３ｂするように癖付けされたものである。パイプの上流側は水廻り器具の排水口に接続され、下流側は排水管に接続されるものであり、かかる接続は任意の手段が取られ得るが、例えば４、５はその接続の際に使用されるキャップであり、漏水防止用のＯリング６、７が先端に嵌め込まれた構造となっている。
【００２３】
トラップ１を排水経路の一部に使用した場合、排水時には上流からゴム様膜体３の開口部３ａより入り込み、これを押し開けるようにして排水が侵入し、接触・閉鎖されている下流側３ｂを水圧によって開放して排水がなされることとなり、排水が終了すれば、膜体３はすぐさま閉じてしまうという構成となっている。即ち、上流側が正圧となった場合には下流側の接触・閉鎖部位３ｂが開かれて排水ができ、逆に上流側が負圧となった際には接触・閉鎖部位３ｂがゴム様膜体３であるためにこれが開かず、下流側からの排水の逆流は勿論のこと、臭気の侵入も完全に阻止されることとなる。
【００２４】
更に、従来のトラップでは封水のために水を利用するが故に、封水切れがないようにその深さを保持するトラップ構造であったため、背丈の比較的高い構造となっていた。このため、スラブ面に窪みを形成したり、水廻り器具そのものをその分だけ高い位置に配置する必要があった。しかしながら、図示するトラップ１にあっては、管径が５０ｍｍもあれば十分なトラップとなるため、水廻り器具の配置は比較的低い位置で設置可能（低床化）となったものである。
【００２５】
図５及び図６は本発明の排水システムを適用したユニットバス１０のトラップにかかるトラップ１を採用した際の側面図及び平面図を示すものであり、浴槽１１の排水口１１ａに第１のトラップ１Ａを接続し、洗い場１２の排水口１２ａに第２のトラップ１Ｂを接続したものである。そして、トラップ１Ａ、１Ｂの下流側を合流させてユニットバス１０の外寸の位置に配管２０の先端２０Ａを装着したものである。
【００２６】
浴槽１１及び洗い場１２の裏面、即ち、これらとスラブとの間Ｓにてトラップ１Ａ、１Ｂが接続されるが、従来のトラップと比較してその背丈（径）は比較的小さく、トラップ１Ａ、１Ｂ（例えば外径５０ｍｍ）が接続できれば十分であり、かつ又、両者間に段差があっても装着に困難性はない。
【００２７】
さて、図例にあって、サイフォン排水システムに適用した場合、浴槽１１から排水があった場合、トラップ１Ａのゴム様膜体３の下流側の接触・閉鎖部３ｂが開放されて排水管２０に水が供給され、サイフォンの起動が生じた際には浴槽１１内の水はこのサイフォン現象によって急激に排水される。勿論、サイフォン起動が生じる前はややタイムラグがあるが、これは一時的に排水が遅くなるが、ほとんど感じられない程度である。
【００２８】
又、サイフォン起動前にあって、トラップ１Ｂの下流側の接触・閉鎖部位３ｂは開くことがなく、洗い場１２側に水が溢れ出ることはない。更に、サイフォン排水の終了時にはトラップ１Ａの下流側が負圧になるが、この際、洗い場１２側のトラップ１Ｂよりエアが取り込まれ、ゴボゴボという異音の発生も阻止できるという特徴がある。
【産業上の利用可能性】
【００２９】
以上、本発明をユニットバスに適用する例をもって説明したが、これのみに限定されるものではなく、水廻り器具からの排水口が近い位置にある構造、例えば、ダブルシンク型キッチンや食洗器を備えたキッチン等の複数のシンクを備えたキッチンにも適用可能であり、その利用範囲は広い。
【図面の簡単な説明】
【００３０】
【図１】図１は本発明に用いられるメンブレン方式のトラップ１を示す図である。
【図２】図２は図１のＡ−Ａ線での端面図である。
【図３】図３は図１のＢ−Ｂ線での端面図である。
【図４】図４は図１のＣ−Ｃ線での端面図である。
【図５】図５は本発明のトラップ１を用いた際の側面図を示すものである。
【図６】図６は本発明のトラップ１を用いた際の平面図を示すものである。
【符号の説明】
【００３１】
１、１Ａ、１Ｂ‥トラップ、
２‥パイプ、
３‥ゴム様膜体、
３ａ‥ゴム様膜体の上流側開口部、
３ｂ‥ゴム様膜体の下流側閉鎖部、
４、５‥キャップ、
６、７‥Ｏリング、
１０‥ユニットバス、
１１‥浴槽、
１１ａ‥浴槽排水口、
１２‥洗い場、
１２ａ‥洗い場排水口、
２０‥配管、
２０Ａ‥配管の先端。
【図１】
2008169575.tif 000003
【図２】
2008169575.tif 000004
【図３】
2008169575.tif 000005
【図４】
2008169575.tif 000006
【図５】
2008169575.tif 000007
【図６】
2008169575.tif 000008